(57)【要約】【課題】開閉体の面の汚れをより効果的に除去可能な開閉装置を提供する。【解決手段】開閉可能な開閉体４と、上記開閉体４の表面又は裏面に接触する清掃手段２３と、開閉体４が移動する方向とは反対方向に清掃手段２３を回転する駆動手段２１とを備えた。また、清掃手段２３は、周面が開閉体４の表面又は裏面に接触するローラにより形成された。また、駆動手段２１は、開閉体４の開，閉動作に連動する紐体３１，３２の引張り力により、清掃手段２３に回転力を与えた。【選択図】図１
2011032801.tif 000002
【特許請求の範囲】
【請求項１】
開閉可能な開閉体と、上記開閉体の表面又は裏面に接触する清掃手段と、開閉体が移動する方向とは反対方向に清掃手段を回転する駆動手段とを備えたことを特徴とする開閉装置。
【請求項２】
清掃手段は、周面が開閉体の表面又は裏面に接触する筒状体により形成されたことを特徴とする請求項１に記載の開閉装置。
【請求項３】
駆動手段は、開閉体の開，閉動作に連動する紐体の引張り力により、清掃手段に回転力を与えるように構成したことを特徴とする請求項１又は請求項２に記載の開閉装置。
【請求項４】
開閉体をガイドするガイド溝を有するガイド枠を備え、紐体をガイド溝内に位置させたことを特徴とする請求項３に記載の開閉装置。
【請求項５】
開閉体が開く際又は開閉体が閉じる際に清掃手段を開閉体の表面又は裏面より離間させる機構を備えたことを特徴とする請求項１乃至請求項４のいずれかに記載の開閉装置。
【発明の詳細な説明】
【技術分野】
【０００１】
本発明は、開閉体の表面又は裏面の汚れを除去する清掃手段を備えた開閉装置に関するものである。
【背景技術】
【０００２】
従来、開閉体としてのシャッターカーテンの表面又は裏面の汚れを拭き取るローラ状の清掃手段を備えた開閉装置が知られている（特許文献１等参照）。これは、シャッターカーテンが開く際又はシャッターカーテンが閉じる際にシャッターカーテンの表面又は裏面と清掃手段とが接触することにより、清掃手段がシャッターカーテンの表面又は裏面の汚れを拭き取る開閉装置である。
【先行技術文献】
【特許文献】
【０００３】
【特許文献１】特開２００８−８０３１号公報
【発明の概要】
【発明が解決しようとする課題】
【０００４】
しかしながら、従来の開閉装置によれば、シャッターカーテンが開く際又はシャッターカーテンが閉じる際にシャッターカーテンの面に静止状態の清掃手段のローラが接触するので、シャッターカーテンの面に対し清掃手段のローラにより、十分な摩擦力が作用しないのでシャッターカーテンの面の汚れを効果的に除去できないという問題点があった。
本発明は、上記問題点に鑑みてなされたもので、開閉体の面の汚れをより効果的に除去可能な開閉装置を提供する。
【課題を解決するための手段】
【０００５】
本発明に係る開閉装置は、開閉可能な開閉体と、上記開閉体の表面又は裏面に接触する清掃手段と、開閉体が移動する方向とは反対方向に清掃手段を回転する駆動手段とを備えた。
清掃手段は、周面が開閉体の表面又は裏面に接触する筒状体により形成された。
駆動手段は、開閉体の開，閉動作に連動する紐体の引張り力により、清掃手段に回転力を与えるように構成した。
開閉体をガイドするガイド溝を有するガイド枠を備え、紐体をガイド溝内に位置させた。
開閉体が開く際又は開閉体が閉じる際に清掃手段を開閉体の表面又は裏面より離間させる機構を備えた。
【発明の効果】
【０００６】
本発明に係る開閉装置によれば、開閉体が移動する方向とは反対方向の力を清掃手段に付与する駆動手段を備えたので、開閉体の表面又は裏面の汚れをより効果的に除去できる。
清掃手段は、周面が開閉体の表面又は裏面に接触する筒状体により形成されたので、開閉体が開く際又は開閉体が閉じる際に、開閉体の表面又は裏面の所定幅を一度に清掃できる。
駆動手段は、開閉体の開，閉動作に連動する紐体の引張り力により、清掃手段に回転力を与えるように構成したので、清掃手段を駆動させるモータ等を不要とできる。
開閉体をガイドするガイド溝を有するガイド枠を備え、紐体をガイド溝内に位置させたので、紐体を開閉装置の外側より不可視とすることができ、外観の優れた開閉装置とすることができる。
開閉体が開く際又は開閉体が閉じる際に清掃手段を開閉体の表面又は裏面より離間させる機構を備えたので、清掃部材の長寿命化が図れる。
【図面の簡単な説明】
【０００７】
【図１】開閉装置の縦断面図（形態１）。
【図２】開閉装置の分解斜視図（形態１）。
【図３】清掃ローラの断面図（形態１）。
【図４】カバーを外した開閉装置の斜視図（形態１）。
【図５】（ａ）は、開閉装置の拡大斜視図、（ｂ）は紐体の巻取状態を示す斜視図（形態１）。
【図６】清掃手段近傍の横断面図（形態１）。
【図７】開閉装置の横断面図（形態１）。
【図８】清掃手段の動作説明図（形態１）。
【図９】固定軸移動支持機構と清掃手段との関係を示す断面図（形態２）。
【図１０】固定軸移動支持機構により清掃ローラがシャッターカーテンの表面より離間する動作説明図（形態２）。
【図１１】開閉装置の斜視図（形態３）。
【図１２】開閉装置の斜視図（形態３）。
【図１３】（ａ）は、開閉装置の縦断面図、（ｂ）は、吸引口具の斜視図（形態４）。
【図１４】開閉装置の縦断面図（形態４）。
【図１５】開閉装置の縦断面図（形態４）。
【発明を実施するための形態】
【０００８】
実施形態１
図１〜図５に示すように開閉装置１は例えばコンクリート，木造の壁部２に形成された開口部３を塞ぐ開閉体としてのシャッターカーテン４を備える。
シャッターカーテン４は巻取装置５により上方向に巻取られて開口部３を開口（開成）し、巻取装置５により下方向に繰出されて開口部３を閉口（閉成）する。上記開口部３の左，右両端には上，下方向にガイドする為のガイド溝６，７を有するガイド枠８，９が取付けられる。このガイド枠８，９は開口部３の左，右側の壁部２の内側２ａ側に固着されたチャンネル型縦枠１０，１１に取付けられる。このチャンネル型縦枠１０，１１の上端にはＵ字状の水平枠１２が固定され、さらに、チャンネル型縦枠１０，１１上端の上記壁部２側には取付け片１３，１４が壁部２に沿って上方向に突設され、この取付け片１３，１４からは係合片１３ａ，１３ａ及び係合片１４ａ，１４ａが突出する。この左，右の上，下の係合片１３ａ，１４ａに巻取装置支持枠１５の左，右のフック板１５ａ，１５ｂの凹状係合部１５ｃ，１５ｄが係合することで、巻取装置支持枠１５が壁部２に対してしっかりと取付けられる。
【０００９】
上記巻取装置支持枠１５の左，右の対向板１７ａ，１８ａに、巻取シャフト１６の両端を枢支する軸受け１７，１８が設けられる。
図１に示すように、上記軸受け１７，１８により回転可能に支持される管状の巻取シャフト１６には巻取ドラム１９が固定され、この巻取ドラム１９に上記シャッターカーテン４の上端が固定されて巻取ドラム１９の例えばａ方向の回転でシャッターカーテン４は上方向に巻取可能となっている。なお、巻取シャフト１６は巻取ドラム１９を貫通する管状のものから形成されたものに限定されず、巻取ドラム１９の左，右端から軸受け１７，１８方向に突出する短手のシャフトから形成してもよい。１５ｅは巻取装置支持枠１５に取付けられるカバーである。
【００１０】
このようにして回転可能に支持された巻取シャフト１６の一端のプーリ又はスプロケット等には、ベルト又はチェーン等の駆動力伝達部材２０が掛けられ、この駆動力伝達部材２０にモータ２１の回転力が伝達されるので、モータ２１の動作に伴い巻取シャフト１６が矢印ａ方向（又は、反対方向）に回転される。モータ２１は巻取装置支持枠１５の一方の対向板１７ａに取付けられる。
なお、シャッターカーテン４の下端にはボトムスラットとしての接地枠４ａが固定され、床面２２ａに設置することで、シャッターカーテン４と床面２２ａとの間隔を吸収するとともに、騒音を吸収したり、シャッターカーテン４の前，後方向の安定性を確保する。
シャッターカーテン４は複数の長尺な短冊板材に形成されているスラット４ｃ同士をカール部４ｂで互いに接続したもの、あるいは金属製，布製のスクリーン等、種々のタイプのものが考えられ、図示のものに限定されない。また、図示では上，下動タイプのものであるが、左，右に開閉するタイプのものでもよい。
【００１１】
図１，図２，図６，図７において、巻取装置支持枠１５の下部に水平保持板２２が設けられ、この水平保持板２２の下側に、清掃手段としての清掃具２３を保持する支持枠２４がねじ、ビス等で取付けられる。清掃具２３は後述する回転シャフト２６に交換可能に取付けられて周面が開閉体の表面又は裏面に接触する筒状体により形成される。支持枠２４は図６に示すように、水平板２５と、清掃具２３の筒穴を貫通して支持する回転シャフト２６と、この回転シャフト２６の両端より左，右方向に突出して支持片２５ａ、２５ｂの支持部２７，２８に固定された固定軸２９とより成る。上記清掃具２３は、例えば、植毛材，ウレタン等の発泡材，布材，ブラッシング樹脂材，等種々のものが考えられる。清掃具２３は、回転シャフト２６と一緒に回転するように、回転シャフト２６の外周面に両面接着テープ，マグネット等で回転不能に取付けられる。清掃具２３の幅は、開口部３の左右の長さよりも短く設定される。清掃具２３の厚み（筒の断面の半径寸法）は、回転シャフト２６の外周面とシャッターカーテン４の面との間の距離以上の距離の厚みに設定されるので、清掃具２３はシャッターカーテン４の面に確実に接触される。なお、図３に示すように、清掃具２３の外周に突起２３ａを設けて、シャッターカーテン４の内面の塵を引っ掻くように構成してもよい。この清掃具２３はシャッターカーテン４の開，閉方向の移動に対して逆方向に回転（回動）してシャッターカーテン４の内面側に付着した塵，埃等をブラッシングして除去してもよい（後述）。回転シャフト２６と清掃具２３とにより清掃ローラ２３Ａが形成される。
図２において、水平保持板２２の下面に、水平板２５が対接しているが、両者には、左，右に金属線，樹脂線，布線，樹脂線等の紐体３１，３２が上，下から貫通する切欠部３３，３４が形成される。紐体３１，３２の一端は巻取シャフト１６の左，右端部に接続され、下端は回転シャフト２６の両端に接続されている。上記紐体３１，３２により、駆動手段が構成される。尚、紐体３１，３２は一端をシャッターカーテン４のスラット面や、巻取ドラム１９に固定されるシャッターカーテン４の吊元や、巻取ドラム１９に取付けたり、回転シャフト２６の中央部，右端部，左端部のうちの１箇所と巻取シャフト１６の左端部及び右端部、又は、左，右端部のどちらか一方とに接続されるようにしてもよい。
清掃ローラ２３Ａは前下カバー６２により覆われる。前下カバー６２が清掃ローラ２３Ａを覆う際、事前下カバー６２は水平板２５の先端立下り部２５ｃと、水平板２５の左右の支持片２５ａ，２５ｂの下端より互いに対峙するように突出する突出部２５ｄ，２５ｄとに、ねじ，ビス等で取付けられる。前下カバー６２を取外すことにより、清掃具２３の交換や清掃手段内部に溜まった埃等のゴミの除去を行うことができる。
【００１２】
上記回転シャフト２６は図６，図７に示すように、管体より成り、その内部に固定軸２９が貫通し、この固定軸２９は両端が非回転で支持部２７，２８に固定される。
固定軸２９の外周に螺旋状のばね３５が装着されている。
回転シャフト２６の一端の内側にリング体３６が嵌合され、このリング体３６の中空部３７を固定軸２９の一端側が貫通し、リング体３６は固定軸２９に対し回転自在となっており、このリング体３６にばね３５の一端が接続されている。
回転シャフト２６の他端の内側にリング状突部３８が突設され、このリング状突部３８が固定軸２９の他端に嵌合固定された支持体３９の外周のリング溝４０に回動自在に係合する。
【００１３】
図１に示すように、シャッターカーテン４が下方に降りた閉成状態（初期状態とする）では、紐体３１，３２の下側は図５（ａ），（ｂ）に示すように、回転シャフト２６の外周に数回巻付けられた状態となっている。この巻付け方向は、巻取ドラム１９，巻取シャフト１６を矢印ａ方向に回動して、紐体３１，３２を上に引上げたときに、清掃ローラ２３Ａが矢印ｂ方向（シャッターカーテン４の移動とは反対方向）に回転するような回転力を与える方向である。
清掃ローラ２３Ａに矢印ｂ方向の回転力が付与されると、この清掃ローラ２３Ａの回転に伴ってばね３５に矢印ｂ方向のねじれが与えられ、このねじれの為にばね３５には回転シャフト２６を矢印ｂとは反対方向に付勢する力が常時付与される。
なお、紐体３１，３２は巻取シャフト１６、巻取ドラム１９の回動によって、ガイド枠８，９のガイド溝６，７と重なった位置で巻取シャフト２６と回転シャフト２６との間を移動する。
【００１４】
次に、動作について説明する。
まず、図１に示すようにシャッターカーテン４が床面２２ａまで降りた閉成状態から、図８（ａ）に示すようにシャッターカーテン４が巻上げられて、開成される場合について説明する。巻取ドラム１９が矢印ａ方向に回転して、シャッターカーテン４を矢印ｃ方向に巻上げると、このとき紐体３１，３２が巻取シャフト１６の左，右に巻上げられることで、紐体３１，３２が引き上げられるので、回転シャフト２６に矢印ｂ方向の回転力が紐体３１，３２により与えられて、シャッターカーテン４の矢印ｃ方向の移動とは反対方向に清掃ローラ２３Ａが回転されるので、清掃具２３がシャッターカーテン４の内面により速い周速にて接触して、塵等を効率的にかき出すことができる。
図８において、上記回転シャフト２６の矢印ｂ方向の回転に伴い、逆回転方向の付勢力がばね３５には蓄積される。
【００１５】
次に、図８（ｂ）に示すように、シャッターカーテン４が巻上げられて開いた状態からシャッターカーテン４が矢印ｄ方向に下降して閉成する場合について説明する。この場合、巻取ドラム１９が矢印ｅ方向に回転して、シャッターカーテン４を矢印ｄ方向に下降することになるが、このときばね３５に蓄積された付勢力により回転シャフト２６が矢印ｆ方向（矢印ｄ方向とは反対方向）に回転されて、清掃具２３がシャッターカーテン４の内面をより速い周速で接して塵等をかき出すことができる。この場合、回転シャフト２６の矢印ｆ方向の回転に伴い、紐体３１，３２の下側は同方向に巻取られるので、図１の初期状態に戻る。
【００１６】
実施形態１によれば、清掃ローラ２３Ａを備え、清掃ローラ２３Ａの回転シャフト２６と巻取シャフト１６とに連結された紐体３１，３２と巻取シャフト１６を回転させるモータ２１と回転シャフト２６内部に設けられたばね３５とにより、シャッターカーテン４が閉じる際にシャッターカーテン４が移動する方向と反対方向に清掃ローラ２３Ａを回転させることができることから、互いに反対方向に移動するシャッターカーテン４と清掃具２３とが接触する接触時の摩擦力が大きくなるので、シャッターカーテン４を開閉する際に、シャッターカーテン４の表面の汚れを効果的に除去できる開閉装置１が得られる。
また、紐体３１，３２の引張り力により、清掃ローラ２３Ａに回転力を与えたので、清掃ローラ２３Ａを駆動させるモータ等を不要とできる。
さらに、清掃手段は、周面がシャッターカーテン４の表面に接触する清掃具２３により形成されたので、シャッターカーテン４が開く際又はシャッターカーテン４が閉じる際に、シャッターカーテン４の表面の所定幅、即ち、一対のガイド枠８，９間の寸法に対応する幅でシャッターカーテン４の表面を一度に清掃できるので、効率的に清掃できる。
【００１７】
実施形態２
シャッターカーテン４が開く際又はシャッターカーテン４が閉じる際に清掃具２３をシャッターカーテン４の表面より離間させる機構として、例えば、図９に示す、固定軸移動支持機構９０を備えた開閉装置１とした。固定軸移動支持機構９０は、清掃ローラ２３Ａの固定軸２９をシャッターカーテン４の表面に近づく方向及びシャッターカーテン４の表面より離れる方向に往復移動可能に支持するガイド支持部９５と、清掃ローラ収納部１３Ｂの前下カバー６２の内面に設けられた取付部９２ａと固定軸２９に設けられた取付部９２ｂとを繋ぎ、ガイド支持部９５内での固定軸２９の往復移動を許容する離しばね９３とにより構成される。
ガイド支持部９５は、例えば、一対のローラ支持側板８０；８０に設けられた長溝により形成される。この長溝の底面の長手方向に延長するように設けられた凸部９４ａ又は凹溝９４ｂと、当該凸部９４ａ又は凹溝９４ｂと係合するように固定軸２９の端面に形成された凹溝９４ｂ又は凸部９４ａとにより、固定軸２９の回転止機構が構成される。
【００１８】
次に固定軸移動支持機構９０の動作を説明する。
図１０（ａ）に示すように、巻取シャフト１６が矢印ａの方向に回転してシャッターカーテン４が矢印ｃの方向に開く際には、巻取シャフト１６の回転により紐体３１，３２が引張られて巻取りシャフト１６に巻取られる。この際、紐体３１，３２の引張り力が離しばね９３の矢印ｋ方向（図１０（ｂ）参照）の付勢力に打ち勝って、清掃具２３の表面とシャッターカーテン４の表面とが接触した状態で回転シャフト２６が巻取りシャフト１６の回転方向とは反対方向である矢印ｂ方向に回転する。
そして、図１０（ｂ）に示すように、巻取シャフト１６が矢印ｅの方向に回転してシャッターカーテン４が矢印ｄの方向に閉じる際には、巻取シャフト１６の回転によりシャッターカーテン４及び紐体３１，３２が巻出され、清掃具２３が離しばね９３の矢印ｋ方向の付勢力によってシャッターカーテン４の表面より離れ、かつ、ばね３５に蓄えられていた力によって回転シャフト２６が巻取シャフト１６の回転方向とは反対の方向に回転して、紐体３１，３２を巻取る。
【００１９】
実施形態２によれば、シャッターカーテン４が開く際にのみ、清掃具２３とシャッターカーテン４の表面とが接触して清掃が行われるので、清掃具２３を長持ちさせることができる。
尚、離しばね９３を設けた場合には、離しばね９３の力によってより確実に清掃具２３をシャッターカーテン４の表面より離すことができる。しかし、ガイド支持部９５の傾斜角度を急にするなどして、固定軸２９が重力によってガイド支持部９５内の下端に戻るように構成すれば、離しばね９３を設けなくともよい。
【００２０】
実施形態３
巻取シャフト１６がシャッターカーテン４を巻取る際の当該巻取りシャフト１６の回転方向と清掃ローラ２３Ａの回転方向とが逆方向となるように、紐体３１，３２の一端をシャッターカーテン４の固定部８８（図１１参照）に連結し、紐体３１，３２の他端を回転シャフト２６に連結してもよい。
例えば、図１１に示すように、紐体３１，３２がガイド枠８，９の内側に位置されるように構成した場合、開閉装置１の外側より紐体３１，３２を不可視とすることができ、外観の優れた開閉装置１とすることができる。
また、清掃手段をシャッターカーテン４の取付後に後付する場合には、図１２に示すように、開閉装置１の外側より可視できる位置に紐体３１，３２を設けた場合、紐体３１，３２の取付が容易となる。この場合、紐体３１，３２はシャッターカーテン４の下端部（例えば座板、スラット）にねじ，ビス等で固定する。また、マグネットや引っ掛け具等により取外し可能に取付けてもよい。
【００２１】
なお、上記清掃具２３と回転シャフト２６及び紐体３１，３２の代わりに、公知の巻取式のロールスクリーン機構を用いて、スクリーンの一端を巻取ドラム１９に連結してもよい。
【００２２】
実施形態４
図１３（ａ），（ｂ）に示すように、清掃手段はシャッターカーテン４の左右方向に沿って延長する吸引口具１００とホース１０１と吸引装置１０２とを備える。吸引口具１００は長尺な断面コ字型の長尺な吸引部１０３の開口をシャッターカーテン４の表面に向けて巻取シャフト収納部１３Ｃ内部に設置されて、吸引部１０３の先端に設置されたゴムやブラシ毛等の緩衝材によって形成された緩衝部１０７がシャッターカーテン４の表面と接触するように設置される。
ホース１０１はカバー１５ｅ内部に設置される内部側ホース１１０と、吸引装置１０２と内部側ホース１１０とを繋ぐ連結ホース１１１とを備える。
吸引装置１０２は、例えば、家庭用掃除機，業務用掃除機等が用いられる。
これによれば、吸引装置１０２が吸引口具１００によってシャッターカーテン４の表面の汚れを吸引させることができる。また、シャッターカーテン４の汚れを除去したい場合に応じて吸引装置１０２を動作させることによりシャッターカーテン４の汚れを除去することができるので、シャッターカーテン４の清掃時期を任意に決めることができる。
カバー１５ｅにカバー１５ｅを貫通する図外のホース挿入穴を形成し、ホース１０１を図外のホース挿入穴に挿入して巻取シャフト収納部１３Ｃの内部と外部とに跨るように設置することにより、吸引口具１００と吸引装置１０２とを連結してもよい。
【００２３】
吸引装置１０２に代えて図外の蒸気発生装置を設けてシャッターカーテン４の表面に蒸気を当てることによりシャッターカーテン４の汚れを除去してもよい。
吸引装置１０２に代えて送風装置を設けてシャッターカーテン４の表面に風を当てることによりシャッターカーテン４の汚れを除去してもよい。
吸引装置１０２に代えて送風装置を設け、かつ、軸状の清掃部材の両端を対向板１７ａ，１８ａに回転可能に設置するとともに清掃部材をシャッターカーテン４の表面に接触させて、図外の送風装置から送られる風によって清掃部材がシャッターカーテン４の表面を拭取るようにしてもよい。
図１４に示すように、吸引装置１０２に代えて送風装置１０２ａを設け、軸状の清掃部７０Ａの両端を対向板１７ａ，１８ａに回転可能に設置するとともに清掃部材７０Ａをシャッターカーテン４の表面に接触させ、かつ、内部側ホース１１０の排出口１１０ａを清掃部材に向けて設置し、送風装置１０２ａから送られる風によって清掃部材７０Ａを回転させてシャッターカーテン４の表面を拭取るようにしてもよい。
図１５に示すように、吸引装置１０２に代えた送風装置１０２ａと、長尺な清掃部７０Ｂと、清掃部７０Ｂをシャッターカーテン４の表面と接触する方向とシャッターカーテン４の表面と離間させる方向にガイドさせるガイド部１１５とを備え、ガイド部１１５を対向板１７ａ，１８ａによって支持させるとともに内部側のホース１１０の排出口１１０ａを清掃部７０Ｂに向けて、送風装置１０２ａから送られる風によって清掃部７０Ｂをシャッターカーテン４の表面に押し付けてシャッターカーテン４の表面の塵を除去してもよい。
【００２４】
開閉装置１は、ドア，雨戸を含む引戸，サッシ窓，ブラインド，門扉，ゲート，スラインディングウォール装置，ロールスクリーン装置，オーニング装置，防災ドア装置，防煙垂れ幕，防煙垂れ壁等に適用可能である。
【００２５】
開閉装置１は、壁体２の内面に設置される開閉装置１に限らず、車庫，倉庫，住宅やビル，工場，地下街，トンネル，車両の荷台等の構築・構造物における開口部分や内部に設置される開閉装置に適用できる。所謂、障害物感知装置を備えた開閉装置にも適用できる。手動式の開閉装置にも適用できる。例えば、火災や煙を感知した時などにブレーキを解除して自重で閉鎖するシャッターカーテンを備えた開閉装置にも適用できる。
【００２６】
開閉装置１のシャッターカーテン４の構成態様としては、所謂スラットを上下方向に複数連設した態様だけではなく、パイプ，パネル，シート状物又はネット状物を単数もしくは複数連設して成る態様のシャッターカーテン、あるいは、スラット，パネル，パイプ，シート状物，ネット状物を適宜に組合せたシャッターカーテンでもよい。所謂、オーバヘッドタイプのシャッターカーテンにも適用できる。シャッターカーテンの開閉方向は上下方向でも左右方向でも斜め方向でもよく、これらの複合する方向であってもよい。
【００２７】
上記では、シャッターカーテン４の表面を清掃する清掃手段を設けたが、シャッターカーテン４の表面又は裏面のうちの少なくとも一方（片面）を清掃する清掃手段を備えればよい。
また、少なくともシャッターカーテン４が開く際又はシャッターカーテン４が閉じる際にシャッターカーテン４の表面を清掃する清掃手段を備えればよい。
【００２８】
シャッターカーテン４が開く際又はシャッターカーテン４が閉じる際にシャッターカーテン４が移動する方向とは反対方向の力を清掃手段に付与する駆動手段を、回転シャフト２６を回転させるモータにより構成してもよい。このようにすれば、回転シャフト２６をモータで回転させるだけでよく、紐体３１，３２、及び、回転シャフト２６内のばね３５のような戻しばねは不要となる。
【００２９】
シャッターカーテン４が開く際又はシャッターカーテン４が閉じる際にシャッターカーテン４が移動する方向とは反対方向に清掃手段をシャッターカーテン４の表面に沿って平行移動させるようにしてもよい。この場合、清掃手段を平行移動する平面体で構成してもよい。
【００３０】
清掃具２３は、回転シャフト２６の周面に巻付けられることにより回転シャフト２６に着脱可能に取付けられる構成のものであってもよい。
【符号の説明】
【００３１】
１  開閉装置、４  シャッターカーテン（開閉体）、８（９）  ガイド枠、
１６  巻取シャフト、２３  清掃具（清掃手段）、３１（３２）  紐体。
【図１】
2011032801.tif 000003
【図２】
2011032801.tif 000004
【図３】
2011032801.tif 000005
【図４】
2011032801.tif 000006
【図５】
2011032801.tif 000007
【図６】
2011032801.tif 000008
【図７】
2011032801.tif 000009
【図８】
2011032801.tif 000010
【図９】
2011032801.tif 000011
【図１０】
2011032801.tif 000012
【図１１】
2011032801.tif 000013
【図１２】
2011032801.tif 000014
【図１３】
2011032801.tif 000015
【図１４】
2011032801.tif 000016
【図１５】
2011032801.tif 000017